(57)【特許請求の範囲】
【請求項１】
スイッチと該スイッチが挿入されたケースとを有し、前記スイッチの可動子がスライド操作によりスイッチングするスライドスイッチであって、
前記可動子のスライド操作による該可動子と前記ケースとの接触を緩衝する緩衝手段を有し、
前記緩衝手段は、前記可動子の、前記ケースに接触する端面に、該可動子と一体に形成されたバネ性部材であり、
前記バネ性部材は、スライド方向に沿う断面形状が、
前記可動子の本体部分より突出して設けられた基部と、
前記基部に片持ち支持され、該基部が設けられた前記可動子の端面に沿って、前記ケース側に傾くように延びる先端部と、
を有し、弾性特性が与えられたものであることを特徴とするスライドスイッチ。
【発明の詳細な説明】
【０００１】
【発明の属する技術分野】
本発明は、スライドスイッチに関し、詳しくは、スイッチと該スイッチが挿入されたケースとを有し、前記スイッチのスライド操作によりスイッチングするスライドスイッチに関する。
【０００２】
【従来の技術】
従来、この種のスライドスイッチとしては、図３に示すようなスライドスイッチ１２０、即ちスイッチ操作の取っ手としてのレバー１２２と、レバー１２２が嵌め込まれた可動子１２４と、可動子１２４がスライド可能な空間が形成され可動子１２４が挿入されたケース１２６と、レバー１２２の操作による可動子１２４のスライドによってオンオフする端子１３０ａ，１３０ｂ，１３０ｃとを備えたものが提案されている。このスライドスイッチ１２０では、レバー１２２を水平方向へ動かすと、可動子２４がスライドすることにより端子１３０ａ，１３０ｂ，１３０ｃがオンまたはオフしてスイッチングできる。
【０００３】
【発明が解決しようとする課題】
しかしながら、こうしたスライドスイッチ１２０では、スイッチ操作のたびに可動子１２４とケース１２６とが接触することによる接触音、即ち操作音が発生する。この操作音は操作者にとって耳障りであり、これによって操作フィーリングの悪化を招いてしまう。
【０００４】
本発明のスライドスイッチは、スイッチ操作による操作音の発生を低減することを目的の一つとする。また、本発明のスライド式スイッチは、操作フィーリングの向上を図ることを目的の一つとする。
【０００５】
【課題を解決するための手段およびその作用・効果】
本発明のスライドスイッチは、上述の目的の少なくとも一部を達成するために以下の手段を採った。
【０００６】
本発明のスライドスイッチは、スイッチと該スイッチが挿入されたケースとを有し、前記スイッチの可動子がスライド操作によりスイッチングするスライドスイッチであって、前記可動子のスライド操作による該可動子と前記ケースとの接触を緩衝する緩衝手段を有し、前記緩衝手段は、前記可動子の、前記ケースに接触する端面に、該可動子と一体に形成されたバネ性部材であり、前記バネ性部材は、スライド方向に沿う断面形状が、前記可動子の本体部分より突出して設けられた基部と、前記基部に片持ち支持され、該基部が設けられた前記可動子の端面に沿って、前記ケース側に傾くように延びる先端部と、を有し、弾性特性が与えられたものであることを要旨とする。
【０００７】
この本発明のスライドスイッチでは、スイッチのスライド操作によりスイッチとケースとが接触する接触部位に設けられた緩衝手段が、接触を緩衝するから、スイッチ操作による接触音の発生を低減することができると共に操作フィーリングを向上させることができる。
【００１０】
【発明の実施の形態】
次に、本発明の実施の形態を実施例を用いて説明する。図１は本発明の一実施例であるスライドスイッチ２０の内部構成を示す構成図である。図示するように実施例のスライドスイッチ２０は、スイッチ操作による操作音の発生を低減するスイッチとして構成されており、スイッチ操作の取っ手としてのレバー２２と、レバー２２が嵌め込まれた可動子２４と、可動子２４がスライド可能な空間が形成され可動子２４が挿入されたケース２６と、ケース２６に設けられ可動子２４のスライドによって導電する端子３０ａ，３０ｂ，３０ｃと、可動子２４のスライドによるケース２６と可動子２４との接触を緩衝する緩衝部材としての板バネ３０とを備える。このスライドスイッチ２０では、レバー２２を水平方向へ動かすと、可動子２４がスライドすることにより端子３０ａ，３０ｂ，３０ｃがオンまたはオフしてスイッチングできるようになっている。
【００１１】
板バネ３０は、「く」の字状に形成された板状のバネであり、その一端がケース２６側の接触部位（可動子２４とケース２６とが接触する部分）に取り付け固定されている。レバー２２のスイッチ操作により可動子２４がケース２６の側面付近までスライドして板バネ３０の凸部先端に接触するとき、板バネ３０の緩衝作用によりこの接触を緩衝できるようになっている。したがって、板バネ３０をケース２６側の接触部位に設けることで接触音、即ち操作音を低減することができる。
【００１２】
以上説明した実施例のスライドスイッチ２０によれば、板バネ３０がレバー２２のスイッチ操作による可動子２４とケース２６との接触を緩衝するから、接触による接触音、即ち操作音の発生を低減することができ、この操作音の低減によるスイッチ操作のフィーリングを向上させることができる。
【００１３】
実施例のスライドスイッチ２０では、緩衝部材として板バネ３０を用いたが、可動子２４とケース２６との接触を緩衝できるような弾性を有する部材であればいかなるものであってもよい。例えば、スプリングバネやシリコンゴム、樹脂などを用いても構わない。
【００１４】
また、実施例のスライドスイッチ２０では、接触の緩衝をケース２６側の接触部位に取り付けた板バネ３０により行なうものとしたが、可動子２４と同じ材料により形成されたバネ性の部材を用いて可動子２４とケース２６との接触を緩衝することもできる。図２に可動子２４側の接触部位にバネ性部材３２を配置したスライドスイッチ２０Ｂの内部構成の一例を示す。図示するように可動子２４側の接触部位に板状のバネ性部材３２を弾性特性を有するように所定の間隔を開けて配置してその一端を可動子２４と一体に形成する。スイッチ操作により可動子２４がスライドしてケース２６に接触すると、バネ性部材３２の緩衝作用により可動子２４とケース２６との接触を緩衝できるようになっており、この緩衝により接触音、即ち操作音を低減することができる。勿論、バネ性部材３２に代えて他の弾性特性を有する材料により形成された部材を用いて接触の緩衝を行なうものとしても構わない。例えば、スプリングバネやシリコンゴム、樹脂、板バネなどを用いるものとしてもよい。
【００１５】
以上、本発明の実施の形態について実施例を用いて説明したが、本発明のこうした実施例に何ら限定されるものではなく、本発明の要旨を逸脱しない範囲内において、種々なる形態で実施し得ることは勿論である。
【図面の簡単な説明】
【図１】  本発明の一実施例であるスライドスイッチ２０の内部構成の概略を示す構成図である。
【図２】  本発明の一実施例であるスライドスイッチ２０Ｂの内部構成の概略を示す構成図である。
【図３】  従来例のスライドスイッチ１２０の内部構成の概略を示す構成図である。
【符号の説明】
２０，１２０  スライドスイッチ、２２，１２２  レバー、２４，１２４  可動子、２６，１２６  ケース、２８ａ，２８ｂ，２８ｃ，１２８ａ，１２８ｂ，１２８ｃ  端子、３０  板バネ、３２  バネ性部材。
【図１】
0003809324.tif 000002
【図２】
0003809324.tif 000003
【図３】
0003809324.tif 000004